(57)【要約】【課題】角合わせを必要とせず、且つ回動ズレも生じなく、単なる押入操作だけで簡単に取り付け或いは取り外しが可能である分割箸を提供すること【解決手段】本発明の分割箸Ａは、箸先体１と、箸持ち体２と、前記箸先体１の後端部に固定して取り付けられ、且つ前記箸持ち体２の前端部に取り外し自在に取り付けられる継ぎ手３とを備えている。継ぎ手３は、前記箸先体１の後端部に挿入される箸先嵌合部３１と、箸持ち体２の後端部に挿入される断面角形状の箸持ち挿入部３２と、箸先嵌合部３１と箸持ち挿入部３２との間に形成された拡大鍔部３３とよりなる。継ぎ手３における、箸持ち挿入部３２及び拡大鍔部３３が合成樹脂材で形成され、該金属細円棒Ｍ２の周囲に固定されている。【選択図】図１
2009213726.tif 000002
【特許請求の範囲】
【請求項１】
箸先体と、
箸持ち体と、  
前記箸先体の後端部に固定して取り付けられ、且つ前記箸持ち体の前端部に取り外し自在に取り付けられる継ぎ手とを備え、
継ぎ手が、前記箸先体の後端部に挿入される箸先嵌合部と、箸持ち体の前端部に挿入される断面角形状の箸持ち挿入部と、箸先嵌合部と箸持ち挿入部との間に形成された拡大鍔部と、よりなることを特徴とする分割箸。
【請求項２】
箸持ち体には、断面角形状の箸持ち挿入部が圧入可能な断面角形状の長穴が形成されていることを特徴とする請求項１記載の分割箸。
【請求項３】
継ぎ手は、箸持ち挿入部が金属太円棒であり、該金属太円棒から突出延長した金属細円棒が箸先嵌合部及び拡大鍔部に挿入固定されていることを特徴とする請求項１記載の分割箸。
【請求項４】
継ぎ手における、箸持ち挿入部及び拡大鍔部が合成樹脂材で形成され、該金属細円棒の周囲に固定されていることを特徴とする請求項３記載の分割箸。
【請求項５】
箸持ち挿入部には、長さ方向に空気抜き用のスリットが形成されていることを特徴とする請求項２記載の分割箸。
【請求項６】
箸持ち挿入部の先端に円形頭部が形成されて、該断面角形状の長穴の底には、該円形頭部を収納する円形穴が形成されていることを特徴とする請求項２記載の分割箸。
【請求項７】
合成樹脂材がポリカーボネイト樹脂であることを特徴とする請求項４記載の分割箸。
【請求項８】
箸持ち挿入部が断面３角形状に形成され、箸持ち体には前記箸持ち挿入部が圧入可能な断面角形状の長穴が形成されていることを特徴とする請求項１記載の分割箸。
【請求項９】
箸先体及び箸持ち体の外周は、断面角形状に形成されていることを特徴とする請求項２記載の分割箸。
【発明の詳細な説明】
【技術分野】
【０００１】
本発明は、分割可能な分割箸に関し、更に詳しくは、単なる押入操作、引き抜き操作で簡単に取り付け或いは取り外しが可能である分割箸に関する。
【背景技術】
【０００２】
近年、趣味的に自分の箸を持つ人が増えており、このような自分専用の箸は、いわゆる「マイバシ」といわれ静かなブームとなっている。
マイバシは飲食店等で使用するため、携帯に便利であることが必要であり、そのため、二つに分けられる分割箸が使われる。
【０００３】
種々な分割箸が上市されているが、例えば特許文献１に記載されている分割箸は、先端部分に形成された雄ネジ部を中間部分に形成された雌ネジ部に螺合してなるものである。
螺合したり、螺合を外したりすることで、箸自体を一体化したり、分割して長さを小さくできるため持ち運びにも便利である。
しかし、螺合による、取り外しは、廻し操作（ねじ込み操作）が必要なことから、この点が面倒であり、またゴミ等がネジ部に噛み込み易い欠点もある。
このようなことから、廻し操作を必要としないワンタッチで取り付け可能な分割箸が開発されている（特許文献２参照）。
【０００４】
これは、箸の上節と下節とをカップリング手段である連結管を介して取り外し自在にしたもので、連結管の連結軸を上節の挿入孔に挿脱する構造である。
この分割箸は、廻し操作は必要でなく、単に押し入れることで挿入連結でき、また外す時も引き抜くだけでよい。
いわゆる、ワンタッチ動作で取り付け又は取り外しが可能であり、携帯も簡単で極めて便利である。
【０００５】
しかし、上節と連結管、及び下節と連結管がそれぞれ相互に回動し易く、使っている際、グリップが緩みやすく不安定になる欠点がある。
いわゆる回動ズレが生じるのである。
また、上節及び下節の外周がそれぞれ角形状である場合、両節を一体に取り付ける際に、角を合わせるには、押し入れた後、継ぎ目が連続となるように、廻し操作を行う必要がある。
単に押し入れた場合は、相互の角が合わずに継ぎ目で不連続となる欠点もある。
このように上節と下節の外周の角合わせが必要であり面倒である。
【特許文献１】特開平４−４８８７０号公報
【特許文献２】実用新案登録第３１３１２６３号公報
【発明の開示】
【発明が解決しようとする課題】
【０００６】
本発明はこのような、背景のもとで、従来の分割箸の技術的問題点を解決するためになされたものである。
すなわち、本発明の目的は、角合わせを必要とせず、且つ回動ズレも生じなく、単なる押入操作、引き抜き操作で簡単に取り付け或いは取り外しが可能である分割箸を提供することである。
【課題を解決するための手段】
【０００７】
本発明者は、以上のような課題背景をもとに鋭意研究を重ねた結果、継ぎ手の一部に合成樹脂を使用することで継ぎ手の複雑な外形が簡単に付与できることを見出し、この知見に基づいて本発明を完成させたものである。
【０００８】
すなわち、本発明は、（１）、箸先体と、箸持ち体と、前記箸先体の後端部に固定して取り付けられ、且つ前記箸持ち体の前端部に取り外し自在に取り付けられる継ぎ手とを備え、継ぎ手が、前記箸先体の後端部に挿入される箸先嵌合部と、箸持ち体の前端部に挿入される断面角形状の箸持ち挿入部と、箸先嵌合部と箸持ち挿入部との間に形成された拡大鍔部と、よりなる分割箸に存する。
【０００９】
また、本発明は、（２）、箸持ち体には、断面角形状の箸持ち挿入部が圧入可能な断面角形状の長穴が形成されている上記（１）に記載の分割箸に存する。
【００１０】
また、本発明は、（３）、継ぎ手は、箸持ち挿入部が金属太円棒であり、該金属太円棒から突出延長した金属細円棒が箸先嵌合部及び拡大鍔部に挿入固定されている上記（１）に記載の分割箸に存する。
【００１１】
また、本発明は、（４）、継ぎ手における、箸持ち挿入部及び拡大鍔部が合成樹脂材で形成され、該金属細円棒の周囲に固定されている上記（３）に記載の分割箸に存する。
【００１２】
また、本発明は、（５）、箸持ち挿入部には、長さ方向に空気抜き用のスリットが形成されている上記（２）に記載の分割箸に存する。
【００１３】
また、本発明は、（６）、箸持ち挿入部の先端に円形頭部が形成されて、該断面角形状の長穴の底には、該円形頭部を収納する円形穴が形成されている上記（２）に記載の分割箸に存する。
【００１４】
また、本発明は、（７）、合成樹脂材がポリカーボネイト樹脂である上記（４）に４記載の分割箸に存する。
【００１５】
また、本発明は、（８）、箸持ち挿入部が断面３角形状に形成され、箸持ち体には前記箸持ち挿入部が圧入可能な断面３角形状の長穴が形成されている上記（１）に記載の分割箸に存する。
【００１６】
また、本発明は、（９）、箸先体及び箸持ち体の外周は、断面角形状に形成されている上記（２）に記載の分割箸に存する。
【００１７】
本発明はこの目的に沿ったものであれば、上記（１）〜（９）の中から選ばれた２つ以上を組み合わせた構成も採用可能である。
【発明の効果】
【００１８】
本発明の分割箸は、箸先体と箸持ち体と、前記箸先体の後端に固定して取り付けられ、且つ前記箸持ち体の前端に取り外し自在に取り付けられる継ぎ手とを備え、継ぎ手が、前記箸先体の後端に挿入される箸先嵌合部３１と箸持ち体の前端に挿入される断面角形状の箸持ち挿入部３２と箸先嵌合部３１と箸持ち挿入部３２との間に形成された拡大鍔部３３とよりなるので、螺合による取り付けを必要とせず、且つ箸先体と箸持ち体との相互の回動ズレも生じなく、簡単な操作で取り付け或いは取り外し可能である。
【００１９】
また継ぎ手が、箸先嵌合部３１及び拡大鍔部３３が合成樹脂材で形成され、該金属細円棒の周囲に固定されていると、色材を混ぜることにより、選択された色彩にできる。また継ぎ手自体が軽くなり、箸の軽量化にもつながる。
また箸持ち挿入部３２には、長さ方向に空気抜き用のスリットが形成されていると、装着操作がスムーズに行われる。
また箸持ち挿入部３２の先端に円形頭部が形成されて、該断面角形状の長穴の底には、該円形頭部を収納する円形穴が形成されていると装着状態がより安定する。
【発明を実施するための最良の形態】
【００２０】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２１】
（第一実施形態）
図１は、本実施形態における分割箸全体を示す正面図であり、（Ａ）は連結状態、（Ｂ）は、分割状態である。
本実施形態の分割箸Ａは、箸先体１と継ぎ手３との連結構造、または箸持ち体２と継ぎ手３との連結構造に工夫が施されているものである。
そのため携帯に便利であり、連結及び分離（すなわち取り付け又は取り外し）が簡単な操作で行える。
しかも、一方の箸先体１に対して他方の箸持ち体２が回動ズレしない。
【００２２】
次に本実施形態の分割箸Ａについて具体的に説明する。
図２は、分割箸の継ぎ手付近を拡大して示す断面図である。
また図３は、分割箸における箸先体１の後端部を示す図であり、（Ａ）は断面図、（Ｂ）はそのＢ−Ｂ断面図である。
図４は、分割箸における箸持ち体の前端部を示すであり、（Ａ）は断面図、（Ｂ）はそのＢ−Ｂ断面図である。
【００２３】
図５は、継ぎ手を示す斜視図である。
図６は、継ぎ手を示す図であり、（Ａ）は正面図、（Ｂ）は側面図を示す。
図７は、箸先体の後端部に継ぎ手が固定された状態の断面図である。
【００２４】
箸先体１の後端部には継ぎ手３が取り付け固定されており、箸持ち体２の前端部は継ぎ手３に対して取り外し自在になっている。
箸先体１は、先端側が細く後端側にかけて徐々に太くなっており、後端部には継ぎ手３の箸先嵌合部３１が入る円筒穴１１が形成されている。
【００２５】
また箸先体１の外周は断面角形状（ここでは、断面３角形状）になっている。
箸持ち体２は先端側が細く後端側にかけて徐々に太くなっており、先端部には継ぎ手３の箸持ち挿入部３２が挿入される断面角形状（ここでは、断面３角形状）の長穴２１が形成されている。
この長孔２１は角部が尖ってなく曲面に形成されている。
【００２６】
また箸持ち体２の外周も断面角形状（ここでは、断面３角形状）になっている。
継ぎ手３は、前記箸先体１の後端部に挿入固定される部分である箸先嵌合部３１と、箸持ち体２の前端部に取り付け又は取り外し自在な部分である箸持ち挿入部３２と、箸先嵌合部３１と箸持ち挿入部３２との間に形成された拡大鍔部３３と、よりなる。
【００２７】
箸先嵌合部３１は、断面円形でありその外周にはローレットが刻まれている（ローレット加工）。
この箸先嵌合部３１は箸先体１に形成された円筒穴１１に挿入され接着剤等を使って一体に固定される。
【００２８】
接着剤は、ローレット加工の部分に埋め込まれるため箸先体１と継ぎ手は、この箸先嵌合部３１を介して堅固に固定される。
ところで箸先体１と継ぎ手３とが固定された状態では箸持ち挿入部３２と拡大鍔部３３が外部に露出している。
この場合、拡大鍔部３３は箸先体の後端面に当接しており、その外周面は箸先体１及び箸持ち体２の外周面と面一である。
すなわち、箸先体１及び箸持ち体２の外周が断面３角形状であると拡大鍔部３３の外周も断面３角形状である。
【００２９】
一方、箸持ち挿入部３２は断面角形状（ここでは、断面３角形状）に形成されており、角部は尖ってなく曲面に形成されている。
なお、箸持ち体２には箸持ち挿入部３２が挿入可能な断面３角形状の長穴が形成されていることは前に述べた。
【００３０】
箸持ち挿入部３２の先端に円形頭部３２Ａが形成され、箸持ち体の該断面３角形状の長穴２１の底には、該円形頭部３２Ａを収納する円形孔２１Ａが形成されている。
箸持ち挿入部３２を該長穴２１に挿入した際、最後に、円形頭部３２Ａが円形孔２１Ａに嵌り込み、取り付け状態がより確実安定化する。
【００３１】
また箸持ち挿入部３２は、長さ方向に空気抜けのためのスリットＳが形成されている。
箸持ち挿入部３２を箸持ち体２の長穴２１に押し込んで挿入する際、該長穴２１に閉じこめられた空気をこのスリットＳを通して外部に逃がすことができ、挿入操作がスムースに行える。
【００３２】
ところで継ぎ手３の構造について更に詳しく述べる。
図８は、継ぎ手３の長さ方向の図であり、（Ａ）は金属部分の図、（Ｂ）は継ぎ手の一部断面図である。
継ぎ手３は、大きく分けて合成樹脂材の部分Ｎと金属の部分Ｍとよりなる。
更に詳しくは、継ぎ手３の箸先嵌合部３１が金属太円棒Ｍ１であり、該金属太円棒Ｍ１から突出延長した金属細円棒Ｍ２が箸先嵌合部３１及び拡大鍔部３３に挿入固定されている。
箸先嵌合部３１である金属太円棒Ｍ１には、前述したようにスプライン（ローレット）が刻まれている。
【００３３】
金属細円棒Ｍ２には、外周に環状溝Ｍ２１が複数箇所形成されており、合成樹脂でできた拡大鍔部３３（Ｎ１）や箸持ち挿入部３２の金属細円棒Ｍ２に対する結合力が強化される。
箸持ち挿入部３２及び拡大鍔部３３は、金属細円棒Ｍ２の周囲に射出成形（いわゆるインサート成形）により盛り付けるように形成されるので、両者の固着性が堅固となる。
この場合、合成樹脂としては、種々のものが採用可能であるが、箸持ち体２と同じ材料が良い。
【００３４】
箸持ち体２の長孔２１には継ぎ手３の箸持ち挿入部３２が挿入されるが、両者の嵌め合いの観点から、箸持ち挿入部３２と拡大鍔部３３がポリカーボネイトであると箸持ち体２も、例えば、ポリカーボネイトの方が好ましい。
同じ硬さなので、一方のみが摩耗するようなことがない。
【００３５】
本発明では、継ぎ手３が箸先体１の後端に固定されているため箸持ち体２が取り付けられていない場合には、この継ぎ手３の半分近くが露出して見える。
しかし、露出する部分（箸持ち挿入部３２と拡大鍔部３３）は合成樹脂で形成されているため、色材を混ぜることにより、選択された色彩にすることが可能である。
すなわち、箸先体１と同じ色にすると、箸先体１と継ぎ手３とが一体に見え違和感がない。
また、逆に装飾性に富む色にしてポイントマークにすることも可能である。
ちなみに、継ぎ手の見える部分が金属では、色が選べず、また塗装しても剥げやすい。
また、継ぎ手３の少なくとも一部が合成樹脂でできているので、継ぎ手自体が軽くなり、箸の軽量化にもつながる。
【００３６】
ところで箸先体１の材料として紫檀、黒檀、檜、竹、杉、栗、柳、鉄目（ウリン）等の木材が採用されるが、堅い材質が好ましい。
また箸持ち体２の材料としては、取り外しの際の摩耗性の観点から、例えば前述したポリカーボネイト等の合成樹脂材が好ましい。
【００３７】
〔つなぎ方法〕
いま、分割箸を使うには、継ぎ手３と一体になった箸先体１を左手で握り、箸持ち体２を右手で握る。
そして箸先体１と箸持ち体２との軸芯を合わせて、箸先体１の後端部から突出している継ぎ手３の箸先嵌合部３１に箸持ち体２の先端部を挿入（外挿）する。
断面３角形状の箸持ち挿入部３２が箸持ち体２の該断面３角形状の長穴２１に挿入され、最終的にその円形頭部３２Ａが長穴２１の底の円形孔２１Ａに嵌り込む。
これらの挿入においては、長穴２１に閉じこめられた空気はスリットＳを通して外部に逃げるので操作に支障はない。
このように挿入するだけで、箸先体１、継ぎ手３の拡大鍔部３３、及び箸持ち体２の外形が一致した状態で嵌り込み一本の箸となる。
【００３８】
（第二実施形態）
この実施の形態は、箸持ち体及び箸先体の外周が断面４角形状になっている例である。
図９、この実施形態の分割箸における箸先体の後端部を示す図であり、（Ａ）は断面図、（Ｂ）はそのＢ−Ｂ断面図である。
図１０は、この実施形態の分割箸における箸持ち体の後端を示す図であり、（Ａ）は断面図、（Ｂ）はそのＢ−Ｂ断面図である。
継ぎ手３を介して箸持ち体２と箸先体１を連結した場合、箸持ち体２、継ぎ手の拡大鍔部３３、箸先体１の外周が面一となり全体を通して４角形状になる。
拡大鍔部３３も箸持ち体２や箸先体１と面一となるように外周が４角形である。
【００３９】
以上、本発明をその一実施形態を例に説明したが、本発明は上述した実施形態のみに限定されるものではなく、種々の変形が可能である。
例えば、継ぎ手３を箸先体１に固定して、箸持ち体２を継ぎ手３に対して取り外し自在にした例で示したが、図１１に示すように逆に継ぎ手３を箸持ち体２に固定して、箸先体１を継ぎ手３に対して取り外し自在にすることも当然可能であることは云うまでもない。
箸先体１の先端部や箸持ち体２の後端部は、例えば円形の断面形状とすることも可能である。
【図面の簡単な説明】
【００４０】
【図１】図１は、本実施形態における分割箸全体を示す図であり、（Ａ）は連結状態、（Ｂ）は分割状態を示す。
【図２】図２は、分割箸の継ぎ手付近を拡大して示す断面図である。
【図３】図３は、本実施形態の分割箸における箸先体の後端部を示す図であり、（Ａ）は断面図、（Ｂ）はそのＢ−Ｂ断面図である。
【図４】図４は、本実施形態の分割箸における箸持ち体の前端部を示す図であり、（Ａ）は断面図、（Ｂ）はそのＢ−Ｂ断面図である。
【図５】図５は、継ぎ手を示す斜視図である。
【図６】図６は、継ぎ手を示す図であり、（Ａ）は正面図、（Ｂ）は側面図を示す。
【図７】図７は、箸先体の後端部に継ぎ手が固定された状態の断面図である。
【図８】図８は、継ぎ手の長さ方向の図であり、（Ａ）は断面図、（Ｂ）はそのＢ−Ｂ断面図である。
【図９】図９は、別の実施形態の箸先体の後端部を示す図であり、（Ａ）は断面図、（Ｂ）はそのＢ−Ｂ断面図である。
【図１０】図１０は、別の実施形態の箸持ち体の先端部を示す図であり、（Ａ）は断面図、（Ｂ）はそのＢ−Ｂ断面図である。
【図１１】図１１は、箸先体を継ぎ手に対して取り外し自在にした分割箸を示す。
【符号の説明】
【００４１】
Ａ・・・分割箸
１・・・箸先体
１１・・・円筒穴
１２・・・凹凸部（溝、スリット溝、Ｌ字状スリット溝）
２・・・箸持ち体
２１・・・長孔
２１Ａ・・・円形孔
３・・・継ぎ手
３１・・・箸先嵌合部
３２・・・箸持ち挿入部
３２Ａ・・・円形頭部
３３・・・拡大鍔部
Ｍ・・・金属の部分
Ｍ１・・・金属太円棒
Ｍ２・・・金属細円棒
Ｍ２１・・・環状溝
Ｎ・・・合成樹脂材の部分
Ｎ１・・・拡大鍔部
Ｎ２・・・箸持ち挿入部
Ｓ・・・スリット
【図１】
2009213726.tif 000003
【図２】
2009213726.tif 000004
【図３】
2009213726.tif 000005
【図４】
2009213726.tif 000006
【図５】
2009213726.tif 000007
【図６】
2009213726.tif 000008
【図７】
2009213726.tif 000009
【図８】
2009213726.tif 000010
【図９】
2009213726.tif 000011
【図１０】
2009213726.tif 000012
【図１１】
2009213726.tif 000013